(57)【要約】      （修正有）【課題】ポールが簡単な操作で確実に佇立でき、人の接触によっては移動することのないポール立て装置を提供する。【解決手段】上面にポールを立てる基部材下面にフック部を設けると共に、下端に押圧部をもつねじ部材を基部材下面に周囲に等分して設ける。フック部を取り付け面の固定部に掛け、以ってねじ部材にて取付け面を押圧固定してポールを立てる。【選択図】図３
0003157559.tif 000002
【実用新案登録請求の範囲】
【請求項１】
上面にポールを立てる基部材下面にフック部を設けるとともに。下端に押圧部をもつねじ部材を前記基部材下面に周囲に等分して設け、前記フック部を取付け面の固定部に掛け、以って前記ねじ部材にて前記取付け面を押圧固定してポールを立てることを特徴とするポール立て装置。
【請求項２】
前記フック部が１以上の引掛け形状を備え、且つ前記固定部がフック部に対応する一本または十字の棒材からなることを特徴とする請求項１記載のポール立て装置。
【請求項３】
前記フック部が二枚の平板を十字に組み合わせた形状を備え、且つ前記固定部がフックに対応して板材に形成した十字の穴からなることを特徴とする請求項１記載のポール立て装置。
【請求項４】
前記フック部が一枚の平板からなり、且つ前記固定部がフックに対応して板材に形成した一本の穴からなることを特徴とする請求項１記載のポール立て装置。
【考案の詳細な説明】
【技術分野】
【０００１】
この考案は、柱状体(ポール)を適宜間隔に立ててその頂部又はその付近にて鎖などを張り、一定面積を仮に区切って人の出入りを比較的強く一時的に阻止するに適した、ポール立て装置に関する。
【背景技術】
【０００２】
人の移動を一時的に規制するため、柱状体(ポール)を一定間隔に立て、その各頂部又はその付近にて鎖またはロープで連結するものがある。これにはポールの下部を、重しとなるプラスティック製またはコンクリート製ブロックに立てたものなどがあり、設置、移動の容易さを重視すればあまり大型のものは使用できず、しかし、小型のものでは人の接触によってポールが移動する可能性があり、強い規制ができない。
【０００３】
背の高くなる野菜等のため支柱をプランタ内に支持するものとして、例えば特開２００３−９２９３０号公報に示されたものがある。
【０００４】
これは、支柱の下端付近を抱持する筒状内側(３)の下端を移動器具(３ａ)としてプランタ本体(１)と止め金器具(４)の隙間に挿入し、移動器具(３ａ)を固定具(１４)でプランタ本体(１)に固定し得るようにし、取っ手(５)を設けたものである。なお、(  )を付した符号は前記特開２００３−９２９３０号公報に使用された符号を表し、以下同様とする。
【０００５】
しかし、これはプランタ本体(１)内に当然土壌が充填されることにより全体が安定するものであり、単に支柱の下端付近を抱持する筒状内側(３)の下端を移動器具(３ａ)としてプランタ本体(１)と止め金器具(４)の隙間に挿入し、移動器具(３ａ)を固定具(１４)でプランタ本体(１)に固定し得るようにしたものでは、人の接触による支柱の移動、転倒の可能性は免れない。
【特許文献１】特開２００３−９２９３０号公報
【考案の開示】
【考案が解決しようとする課題】
【０００６】
よって、本考案はポールが簡単な操作で確実に佇立でき、人の接触によっては移動することのないポール立て装置を提供することを考案の課題とするものである。
【課題を解決するための手段】
【０００７】
前記課題を解決するため本考案は、上面にポールを立てる基部材下面にフック部を設けるとともに。下端に押圧部をもつねじ部材を前記基部材下面に周囲に等分して設け、前記フック部を取付け面の固定部に掛け、以って前記ねじ部材にて前記取付け面を押圧固定してポールを立てることを特徴とするポール立て装置である。
【０００８】
そして、前記フック部は１以上の引掛け形状を備え、且つ前記固定部がフック部に対応する一本または十字の棒材からなるものでもよい。
【０００９】
また、前記フック部が二枚の平板を十字に組み合わせた形状を備え、且つ前記固定部がフックに対応して板材に形成した十字の穴からなるものでもよい。
【００１０】
更に前記フック部が一枚の平板からなり、且つ前記固定部がフックに対応して板材に形成した一本の穴からなるものでもよい、
【考案の効果】
【００１１】
請求項１のポール立て装置では、上面にポールを立てる基部材下面に設けたフック部により、これを取り付け面の固定部に掛けるようにしたので、ポールを立てるための準備が簡単、確実になるばかりでなく、前記基部材下面に周囲に等分して設けた、下端に押圧部をもつねじ部材による前記取付け面の押圧固定も容易且つ確実となる効果がある。
【００１２】
請求項２のフック部と固定部を用いるときは、両者とも形状が簡単であるので、製作が容易であるばかりでなく、フック部の固定部に対する引掛け、外しが容易であり、しかも引掛け時のフック部は外れにくい効果がある。
【００１３】
請求項３のフック部と固定部を用いるときは、引掛けが固定部の中心でのみ行なわれるので操作が正確となり、安全である。
【００１４】
請求項４のフック部と固定部を用いるときは、両者とも形状が簡単であるので、製作が容易であるばかりでなく、フック部の固定部に対する引掛け、外しが容易であり、作業がより迅速に行なわれる。
【考案を実施するための最良の形態】
【００１５】
以下、本考案の好適な実施形態を図面を参照して説明する。
【００１６】
１は基部材で、図２に示すようにこの例では３本の腕部１ａ、１ｂ、１ｃを形成してその各先端に下端に押圧部２ａをもつねじ部材２ｂを備えるとともに、中心部の上面にポール３の支持部材４を、又下面にフック部５叉は６を備えている。
【００１７】
前記支持部材４は、基部材１の中心に正確に溶接ｗした固定ナット４ａと締付けナット４ｂとからなり、ポール３を立てるときは、その下端に固定したねじ部３ａに締付けナット４ｂをねじ結合しておき、ねじ部３ａを固定ナット４ａにねじ結合した後締付けナット４ｂを締め付けてポール３を支持部材４に取り付けるのである。
【００１８】
前記フック部材５、６は、固定部７、８に引掛けてポール３を固定するもので、順序として固定部７、８から説明すると、図４に示すものは、例えば艦船の甲板等においてロープを接続するために設けられたタイダウンホールと称するもので、ほぼ椀型の凹部７ａの縁に十字型の棒材７ｂを固定したものである。
【００１９】
固定部７の十字型の棒材７ｂに引掛けるフック部材５は、図４に詳細を示すように、前記凹部７ａに嵌るやや厚鋼板製の円筒５ａに前記棒材７ｂの数、間隔、太さ等に応じて導入穴５ｂとこれに通ずる横に延びた保持穴５ｃを形成したものである。
【００２０】
図５に示す固定部８は、例えば厚めの蓋状の部材８ａの天井に十字型のスリット８ｂを形成したもので、フック部材６は厚めの板材をスリット８ｂに入るよう十字型に組み合わせてなる。
【００２１】
次に、図１乃至図４に示す例により本考案のポール立て装置を使用する作業を説明すると(この場合ポール３は前記のように基部材１に支持部材４を介して連結されているものとして)、先ずねじ部材２ｂを緩めて押圧部２ａを一杯に引き上げた後、ポール３を掴んでフック５の円筒５ａを前記固定部７の凹部７ａに嵌め、回転しながら導入穴５ｂに固定部７の棒材７ｂを通し、次いで右に回転しつつこれに通ずる保持穴５ｃに棒材７ｂを導く。これによって、４本の棒材７ｂが、４つの保持穴５ｃに入るから、ここでねじ部材２ｂを右回転して押圧部２ａを固定部７の設定場所に圧着させ、ポール３を上昇させるようにすれば、フック５の保持穴５ｃ底面と棒材７ｂが密着し、ポール３はしっかりと固定される。
【００２２】
ポール３を外すときは、前記鎖等をポール３から外しておき、ポール３を支えながらねじ部材２ｂを左回転して緩めていけば、前記フック５の保持穴５ｃの底部と固定部７の棒材７ｂとの圧着がとかれるから、ポール３を左回転して前記導入穴５ｂより固定部７の棒材７ｂを抜けばよい。
【００２３】
図５に示す例においては同様に、先ずねじ部材２ｂを緩めて押圧部２ａを一杯に引き上げた後、ポール３を掴んでフック６の十字型の先を固定部８ａのスリット８ｂに合わせて挿入し、挿入後フック６を４５度回転する。
【００２４】
この状態でねじ部材２ｂを右回転し、押圧部２ａを固定部８の設定場所に圧着させてポール３を上昇させるようにすれば、フック６の上面が蓋状部材８ａ内面に圧着し、ポール３が固定される。
【００２５】
図５に示す例においてポール３を外すときは、前記鎖等をポール３から外しておき、前記同様にポール３を支えながらねじ部材２ｂを左回転して緩めれば、フック６の十字型と蓋状の部材８ａの天井との間に隙間ができるから、ここでポール３を左右どちらかに４５度回転すれば、フック６の十字型は固定部８ａのスリット８ｂから抜ける。
【図面の簡単な説明】
【００２６】
【図１】は本考案ポール立て装置の一部を破断して示す正面図である。
【図２】は本考案ポール立て装置の平面図である。
【図３】は本考案要部の拡大断面図である。
【図４】は本考案の一例におけるフック部と固定部を示す斜視図である。
【図５】は本考案の他の一例におけるフック部と固定部を示す斜視図である。
【符号の説明】
【００２７】
１  基部材    １ａ、１ｂ、１ｃ  腕部
２ａ  押圧部    ２ｂ  ねじ部材
３  ポール    ３ａ  ねじ部
４  支持部材    ４ａ  固定ナット    ４ｂ  締付けナット
５  フック部材    ５ａ  円筒    ５ｂ  導入穴    ５ｃ  保持穴
６  フック部材
７  固定部    ７ａ  凹部    ７ｂ  棒材
８  固定部    ８ａ  蓋状の部材    ８ｂ  スリット。
【図１】
0003157559.tif 000003
【図２】
0003157559.tif 000004
【図３】
0003157559.tif 000005
【図４】
0003157559.tif 000006
【図５】
0003157559.tif 000007
【手続補正書】
【提出日】平成21年12月21日(2009.12.21)
【手続補正１】
【補正対象書類名】実用新案登録請求の範囲
【補正対象項目名】全文
【補正方法】変更
【補正の内容】
【実用新案登録請求の範囲】
【請求項１】
上面にポールを立てる基部材下面にフック部を設けるとともに、下端に押圧部をもつねじ部材を前記基部材下面に周囲に等分して設け、前記フック部を取付け面の固定部に掛け、以って前記ねじ部材にて前記取付け面を押圧固定してポールを立てることを特徴とするポール立て装置。
【請求項２】
前記フック部が１以上の引掛け形状を備え、且つ前記固定部がフック部に対応する一本または十字の棒材からなることを特徴とする請求項１記載のポール立て装置。
【請求項３】
前記フック部が二枚の平板を十字に組み合わせた形状を備え、且つ前記固定部がフックに対応して板材に形成した十字の穴からなることを特徴とする請求項１記載のポール立て装置。
【請求項４】
前記フック部が一枚の平板からなり、且つ前記固定部がフックに対応して板材に形成した一本の穴からなることを特徴とする請求項１記載のポール立て装置。